(57)【特許請求の範囲】
【請求項１】
筐体カバーと電源スイッチとを備える画像形成装置であって、
制御系電源電圧を出力する動作状態と、前記制御系電源電圧の出力を停止する停止状態と、を切替え可能な電源部と、
前記電源部より電源容量が小さく、商用交流電圧を平滑して平滑された電圧を出力する小容量電源部と、
前記制御系電源電圧が給電される制御部と、
前記平滑された電圧が供給される監視部と、を備え、
前記監視部は、前記電源部の前記停止状態において、
前記筐体カバーが開けられたことを検知する第１検知処理と、
前記第１検知処理での検知結果を記憶する第１記憶処理と、
前記電源スイッチが操作されることを検知する第２検知処理と、
前記第２検知処理により電源オンが検知されたことに応じて、前記電源部に前記停止状態から前記動作状態への切替えを指令する第１起動指令処理と、を実行し、
前記制御部は、
前記電源部が前記動作状態へ切替えられたことに応じて、前記監視部から前記第１記憶処理により記憶された前記検知結果を取得し、前記検知結果が、前記筐体カバーが開けられたことを示す場合には準備動作を行い、前記筐体カバーが開けられていないことを示す場合には前記準備動作を行わない第１起動処理と、
前記監視部に対して、前記第１検知処理に引き続いて前記電源部に前記動作状態への切替えを指令する直切替モードを設定する設定処理と、を実行し、
前記監視部は、
前記設定処理に応じて前記直切替モードを記憶する第２記憶処理と、
前記第２記憶処理により前記直切替モードが記憶されることに応じて、前記電源部に前記停止状態への切替えを指令する第１停止指令処理と、を実行し、
前記第２記憶処理により前記直切替モードが記憶されている場合、
前記監視部は、前記第１検知処理による検知に応じて、前記電源部に前記動作状態への切替えを指令する第２起動指令処理を実行し、
前記制御部は、
前記第２起動指令処理により前記電源部が前記動作状態へ切替えられた後、
前記監視部が前記第１検知処理を実行したことを条件として、前記監視部に前記第１記憶処理の実行を指令する記憶指令処理を実行し、
前記監視部は、
前記第１記憶処理の完了に伴い、前記電源部に前記停止状態への切替えを指令する第２停止指令処理を実行することを特徴とする画像形成装置。
【請求項２】
前記監視部は、前記第２記憶処理により前記直切替モードが記憶されている場合、
前記第１検知処理による検知の回数を計数する計数処理を実行し、
前記第２起動指令処理は、前記計数処理により計数された検知の回数が１である場合に実行されることを特徴とする請求項１に記載の画像形成装置。
【請求項３】
前記制御部は、
前記第２起動指令処理により前記電源部が前記動作状態へ切替えられてから前記筐体カバーが閉じられるまでの時間を計時する計時処理を実行し、
前記記憶指令処理は、前記計時処理が計時する時間が所定時間以上である場合に実行することを特徴とする請求項１に記載の画像形成装置。
【請求項４】
筐体カバーと電源スイッチとを備える画像形成装置であって、
制御系電源電圧を出力する動作状態と、前記制御系電源電圧の出力を停止する停止状態と、を切替え可能な電源部と、
前記電源部より電源容量が小さく、商用交流電圧を平滑して平滑された電圧を出力する小容量電源部と、
前記制御系電源電圧が給電される制御部と、
前記平滑された電圧が供給される監視部と、を備え、
前記監視部は、前記電源部の前記停止状態において、
前記筐体カバーが開けられたことを検知する第１検知処理と、
前記第１検知処理での検知結果を記憶する第１記憶処理と、
前記電源スイッチが操作されることを検知する第２検知処理と、
前記第２検知処理により電源オンが検知されたことに応じて、前記電源部に前記停止状態から前記動作状態への切替えを指令する第１起動指令処理と、を実行し、
前記制御部は、
前記電源部が前記動作状態へ切替えられたことに応じて、前記監視部から前記第１記憶処理により記憶された前記検知結果を取得し、前記検知結果が、前記筐体カバーが開けられたことを示す場合には準備動作を行い、前記筐体カバーが開けられていないことを示す場合には前記準備動作を行わない第１起動処理を実行し、
前記監視部は、前記筐体カバーが開けられたことを検出する検出端子を備え、
前記筐体カバーの開閉に応じてオンオフが切り替わる検知スイッチと抵抗の直列によって構成され、前記検知スイッチと抵抗の接点が前記検出端子に接続され、前記検知スイッチと抵抗の接点ではない一端に前記平滑された電圧が給電され、もう一端に接地端子が接続される検知回路と、
前記筐体カバーの開閉を前記制御部へ報知する開閉信号を前記制御系電源電圧から生成するか否かを、前記検出端子の状態に応じて切り替えるスイッチ回路と、
を備えることを特徴とする画像形成装置。
【請求項５】
前記小容量電源部は、
前記商用交流電圧を整流して一次平滑電圧を出力する整流部と、
前記一次平滑電圧を更に平滑した二次平滑電圧を出力するコンデンサと、
前記整流部から前記コンデンサに向かう経路に、この方向を順方向として介在する整流素子と、を備え、
前記一次平滑電圧が前記検知回路に給電され、前記二次平滑電圧が前記監視部に給電され、
前記検知スイッチは、前記筐体カバーが閉じられている場合にオン状態となることを特徴とする請求項４に記載の画像形成装置。
【請求項６】
前記小容量電源部は、
前記商用交流電圧を整流して一次平滑電圧を出力する整流部と、
前記一次平滑電圧を更に平滑した二次平滑電圧を出力するコンデンサと、
前記整流部から前記コンデンサに向かう経路に、この方向を順方向として介在する整流素子と、を備え、
前記二次平滑電圧が、前記検知回路および前記監視部に給電され、
前記検知スイッチは、前記筐体カバーが閉じられている場合にオフ状態となることを特徴とする請求項４に記載の画像形成装置。
【請求項７】
前記スイッチ回路はＰＭＯＳトランジスタを備え、
前記ＰＭＯＳトランジスタのソース端子に前記制御系電源電圧が給電され、ゲート端子が前記検出端子に接続され、ドレイン端子から前記開閉信号を出力することを特徴とする請求項４乃至６の何れか１項に記載の画像形成装置。
【請求項８】
前記制御部は、
前記制御系電源電圧の立ち上がりに応じて、前記第１記憶処理による前記第１検知処理での検知結果が記憶されておらず、前記第２検知処理による検知がされていない場合に、前記準備動作を行う第３起動処理を実行することを特徴とする請求項１乃至７の何れか１項に記載の画像形成装置。
【請求項９】
筐体カバーと電源スイッチとを備える画像形成装置であって、
制御系電源電圧を出力する動作状態と、前記制御系電源電圧の出力を停止する停止状態と、を切替え可能な電源部と、
前記電源部より電源容量が小さく、商用交流電圧を平滑して平滑された電圧を出力する小容量電源部と、
前記制御系電源電圧が給電される制御部と、
前記平滑された電圧が供給される監視部と、を備え、
前記監視部は、前記電源部の前記停止状態において、
前記筐体カバーが開けられたことを検知する第１検知処理と、
前記第１検知処理での検知結果を記憶する第１記憶処理と、
前記電源スイッチが操作されることを検知する第２検知処理と、
前記第２検知処理により電源オンが検知されたことに応じて、前記電源部に前記停止状態から前記動作状態への切替えを指令する第１起動指令処理と、を実行し、
前記制御部は、
前記電源部が前記動作状態へ切替えられたことに応じて、前記監視部から前記第１記憶処理により記憶された前記検知結果を取得し、前記検知結果が、前記筐体カバーが開けられたことを示す場合には準備動作を行い、前記筐体カバーが開けられていないことを示す場合には前記準備動作を行わない第１起動処理を実行し、
前記監視部は、
初期化されたことを報知する初期化報知処理を実行し、
前記制御部は、
前記制御系電源電圧の立ち上がりに応じて、前記初期化報知処理による報知がされている場合に、前記準備動作を行う第４起動処理を実行することを特徴とする画像形成装置。
【請求項１０】
筐体カバーと、電源スイッチと、制御系電源電圧を出力する動作状態と、前記制御系電源電圧の出力を停止する停止状態と、を切替え可能な電源部と、前記電源部より電源容量が小さく、商用交流電圧を平滑して平滑された電圧を出力する小容量電源部と、前記制御系電源電圧が給電される制御部と、前記平滑された電圧が供給される監視部と、を備える画像形成装置の制御方法であって、
前記電源部の前記停止状態において、前記筐体カバーが開けられたことを検知する第１検知ステップと、
前記第１検知ステップでの検知結果を記憶する第１記憶ステップと、
前記電源スイッチが操作されることを検知する第２検知ステップと、
前記第２検知ステップにより電源オンが検知されたことに応じて、前記電源部に前記停止状態から前記動作状態への切替えを指令する第１起動指令ステップと、
前記電源部が前記動作状態へ切替えられたことに応じて、前記監視部から前記第１記憶ステップにより記憶された前記検知結果を取得し、前記検知結果が、前記筐体カバーが開けられたことを示す場合には準備動作を行い、前記筐体カバーが開けられていないことを示す場合には前記準備動作を行わない第１起動ステップと、
前記監視部に対して、前記第１検知ステップに引き続いて前記電源部に前記動作状態への切替えを指令する直切替モードを設定する設定ステップと、
前記設定ステップに応じて前記直切替モードを記憶する第２記憶ステップと、
前記第２記憶ステップにより前記直切替モードが記憶されることに応じて、前記電源部に前記停止状態への切替えを指令する第１停止指令ステップと、
前記第２記憶ステップにより前記直切替モードが記憶されている場合、
前記第１検知ステップによる検知に応じて、前記電源部に前記動作状態への切替えを指令する第２起動指令ステップと、
前記第２起動指令ステップにより前記電源部が前記動作状態へ切替えられた後、
前記監視部が前記第１検知ステップを実行したことを条件として、前記監視部に前記第１記憶ステップの実行を指令する記憶指令ステップと、
前記第１記憶ステップの完了に伴い、前記電源部に前記停止状態への切替えを指令する第２停止指令ステップと、
を含むことを特徴とする画像形成装置の制御方法。
【請求項１１】
筐体カバーと、電源スイッチと、制御系電源電圧を出力する動作状態と、前記制御系電源電圧の出力を停止する停止状態と、を切替え可能な電源部と、前記電源部より電源容量が小さく、商用交流電圧を平滑して平滑された電圧を出力する小容量電源部と、前記制御系電源電圧が給電される制御部と、前記平滑された電圧が供給される監視部と、を備える画像形成装置を制御するプログラムであって、
前記画像形成装置に、
前記電源部の前記停止状態において、前記筐体カバーが開けられたことを検知する第１検知処理と、
前記第１検知処理での検知結果を記憶する第１記憶処理と、
前記電源スイッチが操作されることを検知する第２検知処理と、
前記第２検知処理により電源オンが検知されたことに応じて、前記電源部に前記停止状態から前記動作状態への切替えを指令する第１起動指令処理と、
前記電源部が前記動作状態へ切替えられたことに応じて、前記監視部から前記第１記憶処理により記憶された前記検知結果を取得し、前記検知結果が、前記筐体カバーが開けられたことを示す場合には準備動作を行い、前記筐体カバーが開けられていないことを示す場合には前記準備動作を行わない第１起動処理と、
前記監視部に対して、前記第１検知処理に引き続いて前記電源部に前記動作状態への切替えを指令する直切替モードを設定する設定処理と、
前記設定処理に応じて前記直切替モードを記憶する第２記憶処理と、
前記第２記憶処理により前記直切替モードが記憶されることに応じて、前記電源部に前記停止状態への切替えを指令する第１停止指令処理と、
前記第２記憶処理により前記直切替モードが記憶されている場合、
前記第１検知処理による検知に応じて、前記電源部に前記動作状態への切替えを指令する第２起動指令処理と、
前記第２起動指令処理により前記電源部が前記動作状態へ切替えられた後、
前記監視部が前記第１検知処理を実行したことを条件として、前記監視部に前記第１記憶処理の実行を指令する記憶指令処理と、
前記第１記憶処理の完了に伴い、前記電源部に前記停止状態への切替えを指令する第２停止指令処理と、
を実行させることを特徴とするプログラム。
【請求項１２】
筐体カバーと、電源スイッチと、制御系電源電圧を出力する動作状態と、前記制御系電源電圧の出力を停止する停止状態と、を切替え可能な電源部と、前記電源部より電源容量が小さく、商用交流電圧を平滑して平滑された電圧を出力する小容量電源部と、前記制御系電源電圧が給電される制御部と、前記平滑された電圧が供給される監視部と、を備え、
前記監視部は、前記筐体カバーが開けられたことを検出する検出端子を備え、
前記筐体カバーの開閉に応じてオンオフが切り替わる検知スイッチと抵抗の直列によって構成され、前記検知スイッチと抵抗の接点が前記検出端子に接続され、前記検知スイッチと抵抗の接点ではない一端に前記平滑された電圧が給電され、もう一端に接地端子が接続される検知回路と、
前記筐体カバーの開閉を前記制御部へ報知する開閉信号を前記制御系電源電圧から生成するか否かを、前記検出端子の状態に応じて切り替えるスイッチ回路と、を備える画像形成装置の制御方法であって、
前記電源部の前記停止状態において、前記筐体カバーが開けられたことを検知する第１検知ステップと、
前記第１検知ステップでの検知結果を記憶する第１記憶ステップと、
前記電源スイッチが操作されることを検知する第２検知ステップと、
前記第２検知ステップにより電源オンが検知されたことに応じて、前記電源部に前記停止状態から前記動作状態への切替えを指令する第１起動指令ステップと、
前記電源部が前記動作状態へ切替えられたことに応じて、前記監視部から前記第１記憶ステップにより記憶された前記検知結果を取得し、前記検知結果が、前記筐体カバーが開けられたことを示す場合には準備動作を行い、前記筐体カバーが開けられていないことを示す場合には前記準備動作を行わない第１起動ステップと、
を含むことを特徴とする画像形成装置の制御方法。
【請求項１３】
筐体カバーと、電源スイッチと、制御系電源電圧を出力する動作状態と、前記制御系電源電圧の出力を停止する停止状態と、を切替え可能な電源部と、前記電源部より電源容量が小さく、商用交流電圧を平滑して平滑された電圧を出力する小容量電源部と、前記制御系電源電圧が給電される制御部と、前記平滑された電圧が供給される監視部と、を備え、
前記監視部は、前記筐体カバーが開けられたことを検出する検出端子を備え、
前記筐体カバーの開閉に応じてオンオフが切り替わる検知スイッチと抵抗の直列によって構成され、前記検知スイッチと抵抗の接点が前記検出端子に接続され、前記検知スイッチと抵抗の接点ではない一端に前記平滑された電圧が給電され、もう一端に接地端子が接続される検知回路と、
前記筐体カバーの開閉を前記制御部へ報知する開閉信号を前記制御系電源電圧から生成するか否かを、前記検出端子の状態に応じて切り替えるスイッチ回路と、を備える画像形成装置を制御するプログラムであって、
前記画像形成装置に、
前記電源部の前記停止状態において、前記筐体カバーが開けられたことを検知する第１検知処理と、
前記第１検知処理での検知結果を記憶する第１記憶処理と、
前記電源スイッチが操作されることを検知する第２検知処理と、
前記第２検知処理により電源オンが検知されたことに応じて、前記電源部に前記停止状態から前記動作状態への切替えを指令する第１起動指令処理と、
前記電源部が前記動作状態へ切替えられたことに応じて、前記監視部から前記第１記憶処理により記憶された前記検知結果を取得し、前記検知結果が、前記筐体カバーが開けられたことを示す場合には準備動作を行い、前記筐体カバーが開けられていないことを示す場合には前記準備動作を行わない第１起動処理と、
を実行させることを特徴とするプログラム。
【請求項１４】
筐体カバーと、電源スイッチと、制御系電源電圧を出力する動作状態と、前記制御系電源電圧の出力を停止する停止状態と、を切替え可能な電源部と、前記電源部より電源容量が小さく、商用交流電圧を平滑して平滑された電圧を出力する小容量電源部と、前記制御系電源電圧が給電される制御部と、前記平滑された電圧が供給される監視部と、を備える画像形成装置の制御方法であって、
前記電源部の前記停止状態において、前記筐体カバーが開けられたことを検知する第１検知ステップと、
前記第１検知ステップでの検知結果を記憶する第１記憶ステップと、
前記電源スイッチが操作されることを検知する第２検知ステップと、
前記第２検知ステップにより電源オンが検知されたことに応じて、前記電源部に前記停止状態から前記動作状態への切替えを指令する第１起動指令ステップと、
前記電源部が前記動作状態へ切替えられたことに応じて、前記監視部から前記第１記憶ステップにより記憶された前記検知結果を取得し、前記検知結果が、前記筐体カバーが開けられたことを示す場合には準備動作を行い、前記筐体カバーが開けられていないことを示す場合には前記準備動作を行わない第１起動ステップと、
前記監視部が初期化されたことを報知する初期化報知ステップと、
前記制御系電源電圧の立ち上がりに応じて、前記初期化報知ステップによる報知がされている場合に、前記準備動作を行う第４起動ステップと、
を含むことを特徴とする画像形成装置の制御方法。
【請求項１５】
筐体カバーと、電源スイッチと、制御系電源電圧を出力する動作状態と、前記制御系電源電圧の出力を停止する停止状態と、を切替え可能な電源部と、前記電源部より電源容量が小さく、商用交流電圧を平滑して平滑された電圧を出力する小容量電源部と、前記制御系電源電圧が給電される制御部と、前記平滑された電圧が供給される監視部と、を備える画像形成装置を制御するプログラムであって、
前記画像形成装置に、
前記電源部の前記停止状態において、前記筐体カバーが開けられたことを検知する第１検知処理と、
前記第１検知処理での検知結果を記憶する第１記憶処理と、
前記電源スイッチが操作されることを検知する第２検知処理と、
前記第２検知処理により電源オンが検知されたことに応じて、前記電源部に前記停止状態から前記動作状態への切替えを指令する第１起動指令処理と、
前記電源部が前記動作状態へ切替えられたことに応じて、前記監視部から前記第１記憶処理により記憶された前記検知結果を取得し、前記検知結果が、前記筐体カバーが開けられたことを示す場合には準備動作を行い、前記筐体カバーが開けられていないことを示す場合には前記準備動作を行わない第１起動処理と、
前記監視部が初期化されたことを報知する初期化報知処理と、
前記制御系電源電圧の立ち上がりに応じて、前記初期化報知処理による報知がされている場合に、前記準備動作を行う第４起動処理と、
を実行させることを特徴とするプログラム。
【発明の詳細な説明】
【技術分野】
【０００１】
本発明は画像形成装置、画像形成装置の制御方法、及びプログラムに関し、特に装置筐体カバーの開閉を検出する構成を備える画像形成装置、画像形成装置の制御方法、及びプログラムに関するものである。
【背景技術】
【０００２】
従来、電子写真方式の画像形成装置には、消費電力を低く抑えるための省電力モードで動作するものがある。また、省電力モード中に画像形成装置の外装カバーが開閉されたことを検出するために種々の提案がされている。特許文献１では、駆動系電源電圧が遮断された省電力モードであっても、駆動系電源ラインにダイオードを介して接続されて制御系電源電圧は常時給電状態とされる。この制御系電源電圧により外装カバー開閉検知手段が動作して、省電力モード中の外装カバーの開閉を検知するシステムが記載されている。
【先行技術文献】
【特許文献】
【０００３】
【特許文献１】特開２００６−１５９７４０号公報
【発明の概要】
【発明が解決しようとする課題】
【０００４】
特許文献１では、省電力モード中においても、駆動系電源ラインにダイオードを介して接続されて制御系電源電圧は常時給電状態とされるため、制御系電源電圧に接続されているＣＰＵなどの制御系の回路群は動作状態にある。省電力モードにおいても制御系の回路群での電力は消費され、省電力モードにおける電力消費の低減が不十分になるおそれがある。
【０００５】
本願は、上記の課題に鑑み提案されたものであって、省電力モード中において、装置筐体のカバー開閉を省電力で検知することが可能な画像形成装置を提供することを目的とする。
【課題を解決するための手段】
【０００６】
本願に係る画像形成装置は、筐体カバーと電源スイッチとを備え、制御系電源電圧を出力する動作状態と、制御系電源電圧の出力を停止する停止状態と、を切替え可能な電源部と、電源部より電源容量が小さく、商用交流電圧を平滑して平滑された電圧を出力する小容量電源部と、制御系電源電圧が給電される制御部と、平滑された電圧が供給される監視部と、を備え、監視部は、電源部の停止状態において、筐体カバーが開けられたことを検知する第１検知処理と、第１検知処理での検知結果を記憶する第１記憶処理と、電源スイッチが操作されることを検知する第２検知処理と、第２検知処理により電源オンが検知されたことに応じて、電源部に停止状態から動作状態への切替えを指令する第１起動指令処理と、を実行し、制御部は、電源部が動作状態へ切替えられたことに応じて、監視部から第１記憶処理により記憶された検知結果を取得し、検知結果が、筐体カバーが開けられたことを示す場合には準備動作を行い、筐体カバーが開けられていないことを示す場合には準備動作を行わない第１起動処理を実行することを特徴とする。
【０００７】
電源部の停止状態においても、監視部は小容量電源部により平滑された電圧が供給される。これにより、監視部は第１検知処理、第１記憶処理、第２検知処理、及び第１起動指令処理を実行することができる。電源部の停止状態において、監視部は、第１検知処理により筐体カバーが開けられたことを検知し、第１記憶処理において検知結果を記憶する。更に、第２検知処理において電源スイッチが操作されたことを検知することに応じて、第１起動指令処理において電源部に停止状態から動作状態への切替えを指令する。これにより、電源部は停止状態から動作状態へ切替えられる。
【０００８】
制御部は、電源部が動作状態へ切替えられたことに応じて、監視部から検知結果を取得し、検知結果が、筐体カバーが開けられたことを示す場合には準備動作を行い、筐体カバーが開けられていないことを示す場合には準備動作を行わない。ここで、筐体カバーとは、筐体に開口された開口部に設けられ、ユーザにより開閉されるカバー等である。例えば、プロセスカートリッジを着脱する場合に開閉される筐体カバー、用紙を供給するため等に開閉される給紙トレイなどである。また、準備動作とは、公知のガラ回し、補正処理などである。筐体カバーが開けられた場合には、ユーザによりプロセスカートリッジの交換がされた場合や、給紙トレイに用紙が供給された場合があり、印刷処理前に準備動作を実行する必要がある。筐体カバーが開けられていない場合には準備動作を省略することにより省電力化し、準備動作を行う事による、例えばトナーなどの部材の劣化を抑制することができる。電源部が停止状態にあり、制御系電源電圧が給電されず制御部が動作を停止している場合でも、小容量電源部より電圧が供給されている監視部により、筐体カバーの開閉と電源スイッチの操作に係る最小限の監視を行うことができる。制御部は動作を停止しており、監視部が動作するための必要最小限の電力消費に抑制された省電力状態を実現できる。尚、電源部が動作状態へ切替えられる場合には、第１起動指令処理に応じて切替えられる場合の他に、商用交流電圧の給電が停止された後、給電が再開され、電源部が動作状態となった場合などがある。
【０００９】
また、本願に係る画像形成装置において、制御部は、監視部に対して、第１検知処理に引き続いて電源部に動作状態への切替えを指令する直切替モードを設定する設定処理を実行し、監視部は、設定処理に応じて直切替モードを記憶する第２記憶処理と、第２記憶処理により直切替モードが記憶されることに応じて、電源部に停止状態への切替えを指令する第１停止指令処理と、を実行し、第２記憶処理により直切替モードが記憶されている場合、監視部は、第１検知処理による検知に応じて、電源部に動作状態への切替えを指令する第２起動指令処理を実行し、制御部は、第２起動指令処理により電源部が動作状態へ切替えられた後、監視部が第１検知処理を実行したことを条件として、監視部に第１記憶処理の実行を指令する記憶指令処理を実行し、監視部は、第１記憶処理の完了に伴い、電源部に停止状態への切替えを指令する第２停止指令処理と、を実行する構成としてもよい。
【００１０】
監視部を直切替モードに設定することにより、監視部は第１検知処理の検知に応じて、電源部に動作状態への切替えを指令する。これにより、筐体カバーが開けられる度に制御部は制御系電源電圧が供給される。制御部は制御系電源電圧が供給されると、監視部に第１記憶処理の実行を指令する。監視部が第１検知処理の検知に応じて、第１記憶処理を実行する機能を有していない場合においても、電源部は動作状態に切替えられ、制御部に制御系電源電圧が供給されることにより、監視部は第１記憶処理を実行することができる。制御部は筐体カバーが開けられた場合に一時的に動作状態になる。制御部の動作期間は限定されるため、省電力にすることができる。
【００１１】
また、本願に係る画像形成装置において、監視部は、第２記憶処理により直切替モードが記憶されている場合、第１検知処理による検知の回数を計数する計数処理を実行し、第２起動指令処理は、計数処理により計数された検知の回数が１である場合に実行される構成としてもよい。
【００１２】
初めに筐体カバーが開けられた場合には、監視部は第２起動指令処理を実行し、２回目以降は第２起動指令処理を実行しない。これにより、２回目以降、筐体カバーが開けられた場合には制御部を動作させず、省電力とすることができる。
【００１３】
また、本願に係る画像形成装置において、制御部は、第２起動指令処理により電源部が動作状態へ切替えられてから筐体カバーが閉じられるまでの時間を計時する計時処理を実行し、記憶指令処理は、計時処理が計時する時間が所定時間以上である場合に実行する構成としてもよい。
【００１４】
第１検知処理による筐体カバーが開けられたことを検知することに応じて電源部が動作状態へ切替えられてから、筐体カバーが閉じられるまでの経過時間が所定時間未満である場合には、記憶指令処理を実行しない。ここで、所定時間とは、例えばユーザがプロセスカートリッジの交換を実行するのに要する時間や用紙を供給するために必要な時間である。経過時間が所定時間未満である場合には、プロセスカートリッジの交換は行われていない、あるいは用紙の供給は行われていないと判断されるため、準備動作を行う必要はないと判断する。不要な準備動作を省略して、準備動作による部材の劣化を抑制することができる。
【００１５】
また、本願に係る画像形成装置において、監視部は、筐体カバーが開けられたことを検出する検出端子を備え、筐体カバーの開閉に応じてオンオフが切り替わる検知スイッチと抵抗の直列によって構成され、検知スイッチと抵抗の接点が検出端子に接続され、検知スイッチと抵抗の接点ではない一端に平滑された電圧が給電され、もう一端に接地端子が接続される検知回路と、筐体カバーの開閉を制御部へ報知する開閉信号を制御系電源電圧から生成するか否かを、検出端子の状態に応じて切り替えるスイッチ回路と、を備える構成としてもよい。
【００１６】
電源部の動作状態において、筐体カバーが開けられたことに応じて検知スイッチのオンオフが切り替わり、スイッチ回路によって制御系電源電圧から信号が生成され、筐体カバーが開けられたことが制御部へ報知される。一方、電源部の停止状態において、制御系電源電圧が給電されないため、検出端子の状態によらず、筐体カバーの開閉を制御部へ報知する開閉信号は生成されない。これにより、制御系電源電圧が給電されていない状態で、制御部に開閉信号が入力された場合に発生するおそれのある制御部の破損を防止することができる。これに対して、電源部の動作状態、停止状態によらず、監視部には検出端子より筐体カバーが開けられたことが報知される。検知スイッチ１つの構成で、電源部の動作状態と停止状態のどちらの状態でも筐体カバー開閉を検出することができる。
【００１７】
また、本願に係る画像形成装置において、小容量電源部は、商用交流電圧を整流して一次平滑電圧を出力する整流部と、一次平滑電圧を更に平滑した二次平滑電圧を出力するコンデンサと、整流部からコンデンサに向かう経路に、この方向を順方向として介在する整流素子と、を備え、一次平滑電圧が検知回路に給電され、二次平滑電圧が監視部に給電され、検知スイッチは、筐体カバーが閉じられている場合にオン状態となる構成としてもよい。
【００１８】
検知スイッチに接地電圧が接続される構成においては、電源部の動作状態において、筐体カバーが開けられている場合には、検知スイッチはオフし、検出端子には検知回路を介して一次平滑電圧が印加される。一方、筐体カバーが閉じられている場合には、検知スイッチはオンし、検出端子には接地電圧が印加される。もしくは、検知スイッチに一次平滑電圧が接続される構成においては、電源部の動作状態において、筐体カバーが開けられている場合には、検知スイッチはオフし、検出端子には検知回路を介して接地電圧が印加される。一方、筐体カバーが閉じられている場合には、検知スイッチはオンし、一次平滑電圧が印加される。スイッチ回路は検出端子に印加される電圧に応じて、開閉信号を生成するか否かを切り替える。これにより、筐体カバーが開けられたことが制御部へ報知される。筐体カバーが閉じられている期間、検知スイッチはオンするため、一次平滑電圧から接地電圧への電流経路ができるが、整流素子によりコンデンサから整流部へ電流が流れることが妨げられるため、コンデンサを効率良く充電することができる。
【００１９】
また、本願に係る画像形成装置において、小容量電源部は、商用交流電圧を整流して一次平滑電圧を出力する整流部と、一次平滑電圧を更に平滑した二次平滑電圧を出力するコンデンサと、整流部からコンデンサに向かう経路に、この方向を順方向として介在する整流素子と、を備え、二次平滑電圧が、検知回路および監視部に給電され、検知スイッチは、筐体カバーが閉じられている場合にオフ状態となる構成としてもよい。
【００２０】
検知スイッチに接地電圧が接続される構成においては、電源部の動作状態において、筐体カバーが開けられている場合には、検知スイッチはオンし、検出端子には接地電圧が印加される。一方、筐体カバーが閉じられている場合には、検知スイッチはオフし、検出端子には検知回路を介して二次平滑電圧が印加される。もしくは、検知スイッチに二次平滑電圧が接続される構成においては、電源部の動作状態において、筐体カバーが開けられている場合には、検知スイッチはオンし、検出端子には二次平滑電圧が印加される。一方、筐体カバーが閉じられている場合には、検知スイッチはオフし、検出端子には検知回路を介して接地電圧が印加される。スイッチ回路は検出端子に印加される電圧に応じて、開閉信号を生成するか否かを切り替える。これにより、筐体カバーが開けられたことが制御部へ報知される。商用交流電圧の給電が停止された場合にも、監視部及び検知回路にはコンデンサにより給電されるため、監視部は動作を継続し、第１検知処理を実行することができる。
【００２１】
また、本願に係る画像形成装置において、スイッチ回路はＰＭＯＳトランジスタを備え、ＰＭＯＳトランジスタのソース端子に制御系電源電圧が給電され、ゲート端子が検出端子に接続され、ドレイン端子から開閉信号を出力する構成としてもよい。
【００２２】
電源部の動作状態において、筐体カバーの開閉に応じて、ＰＭＯＳトランジスタのゲート端子に検知回路を介して接地電圧、もしくは検知回路を介して一次平滑電圧もしくは二次平滑電圧が印加される。ゲート端子に検知回路を介して一次平滑電圧もしくは二次平滑電圧が印加された場合には、ＰＭＯＳトランジスタはオフし、開閉信号は生成されない。一方、ゲート端子に検知回路を介して接地電圧が印加された場合には、ＰＭＯＳトランジスタはオンし、開閉信号が生成される。これにより、筐体カバーが開けられたことが制御部へ報知される。一方、電源部の停止状態において、ＰＭＯＳトランジスタのソース端子に制御系電源電圧が給電されないため、ゲート電圧に依らず、開閉信号は生成されない。これにより、制御系電源電圧が給電さていない制御部に開閉信号が入力されることがなく、制御部の破損を防止することができる。
【００２３】
また、本願に係る画像形成装置において、制御部は、制御系電源電圧の立ち上がりに応じて、第１記憶処理による第１検知処理での検知結果が記憶されておらず、第２検知処理による検知がされていない場合に、準備動作を行う第３起動処理を実行する構成としてもよい。
【００２４】
第１検知処理での検知結果が記憶されておらず、第２検知処理による検知がされていない場合とは、筐体カバーが開けられた検知結果が記憶されておらず、電源スイッチが操作されずに電源部が動作状態に切替えられた場合である。電源スイッチが操作されずに電源部が動作状態に切替えられた場合とは、商用交流電圧の給電が停止された後、給電が再開され、電源部が動作状態となった場合である。商用交流電圧の給電が停止されている期間、検知スイッチによる検知が実行されないため、筐体カバーが開閉されても、第１検知結果は記憶されない。従って、第１検知処理での検知結果が記憶されていない場合であっても、第２検知処理による検知がされていない場合には、準備動作を行う。これにより、筐体カバーが開けられた場合に必要な準備動作を実行することができる。
【００２５】
また、本願に係る画像形成装置において、監視部は、初期化されたことを報知する初期化報知処理を実行し、制御部は、制御系電源電圧の立ち上がりに応じて、初期化報知処理による報知がされている場合に、準備動作を行う第４起動処理を実行する構成としてもよい。
【００２６】
監視部が初期化された場合とは、商用交流電圧の給電あるいはコンデンサによる給電が停止され、監視部が記憶していた記憶情報が失われてしまった場合である。この場合、検知スイッチによる検知が実行されていなかった場合があるため、準備動作を行う。これにより、必要な準備動作を実行することができる。
【００２７】
さらに、本願に係る発明は、画像形成装置の発明に限定されることなく、画像形成装置における制御方法の発明や、画像形成装置を制御するプログラムの発明としても実施し得るものである。
【発明の効果】
【００２８】
本願に係る画像形成装置等によれば、省電力モード中において、装置筐体のカバー開閉を省電力で検知することできる。
【図面の簡単な説明】
【００２９】
【図１】実施形態のレーザプリンタの概略構成を示す断面図である。
【図２】レーザプリンタの概略構成を示すブロック図である。
【図３】実施形態１に係る電源部、制御部、電源スイッチ、カバースイッチ、及びトレイスイッチの回路構成を説明する図である。
【図４】実施形態１に係るＯＦＦモード処理１の処理内容を示すフローチャートである。
【図５】実施形態１に係るガラ回し判断処理の処理内容を示すフローチャートである。
【図６】実施形態１に係るガラ回しの有無を説明するテーブル１である。
【図７】実施形態２に係るＯＦＦモード処理２の処理内容を示すフローチャートである。
【図８】実施形態２に係る電源部、制御部、電源スイッチ、カバースイッチ、及びトレイスイッチの回路構成を説明する図である。
【図９】実施形態３に係るガラ回しの有無を説明するテーブル２である。
【発明を実施するための形態】
【００３０】
図１を用いて、本願に係るレーザプリンタ（以下、プリンタと略記する。）１の構成について説明する。プリンタ１は、４色のトナーを用いる所謂タンデム方式のレーザプリンタである。
【００３１】
以下の説明において、方向は、プリンタ１を使用するユーザを基準にした方向で説明する。即ち、図１で右側を「前」、左側を「後」とし、手前側を「左」、奥側を「右」とする。また、図１における上下方向を「上下」とする。
【００３２】
図１に示すように、プリンタ１は、略箱状の本体筐体２を有しており、本体筐体２の内部に、給紙部１０、画像形成部２０等を収納している。本体筐体２の上面には、排出トレイ５が形成されおり、画像が形成されたシートＰを積層状態で収納する。
【００３３】
給紙部１０は、シートＰが収容された給紙トレイ１１、ピックアップローラ１２、分離パッド１３、圧板１４、及び各種ローラを有している。給紙トレイ１１は、本体筐体２の下部に対して着脱可能に構成されている。圧板１４は給紙トレイ１１内に備えられ、圧板１４の下方には、不図示の変位機構が設けられている。変位機構は、後述する画像形成時の動作に先立って、前方に向かって上り、傾斜する状態に変位する。これにより、給紙トレイ１１内に収容されたシートＰは、圧板１４によってピックアップローラ１２側に寄せられ、ピックアップローラ１２及び分離パッド１３により一枚ずつ分離され、各種ローラにより画像形成部２０に搬送される。
【００３４】
画像形成部２０は、本体筐体２内部の略中央部分に配置されており、プロセスカートリッジ３０Ｃ、３０Ｍ、３０Ｙ、３０Ｋ、露光部４０、転写部５０、および定着部６０を有している。
【００３５】
プロセスカートリッジ３０Ｃ、３０Ｍ、３０Ｙ、３０Ｋには、夫々、シアン、マゼンタ、イエロー、ブラックのトナーが収容されている。４つのプロセスカートリッジ３０Ｃ〜３０Ｋは、プリンタ１の前方から後方に向かって、プロセスカートリッジ３０Ｋ、３０Ｙ、３０Ｍ、３０Ｃの順に設けられている。また、プロセスカートリッジ３０Ｃ〜３０Ｋは本体筐体２に備えられるフロントカバー２ａをオープンし、着脱可能に設置されている。
【００３６】
プロセスカートリッジ３０Ｃは、感光体ドラム３１、帯電器３２、及びトナーカートリッジ３３Ｃ等を有している。尚、他のプロセスカートリッジ３０Ｍ、３０Ｙ、３０Ｋは、トナーの色が異なるが、その他の構成はプロセスカートリッジ３０Ｃと同様となっている。このため、以下の説明では、代表してプロセスカートリッジ３０Ｃについて説明し、他のプロセスカートリッジ３０Ｍ、３０Ｙ、３０Ｋについての説明を適宜省略する。
【００３７】
帯電器３２は、帯電ワイヤ３２ａと、グリッド部３２ｂとを有するスコロトロン型の帯電器である。帯電器３２は、画像形成に際し、感光体ドラム３１表面に静電潜像を形成するのに先立って、感光体ドラム３１表面を一様に正帯電させる。
【００３８】
トナーカートリッジ３３Ｃは、トナー収容室３３ａ、アジテータ３３ｅ、現像ローラ３３ｆ等を有している。トナー収容室３３ａは、シアンのトナーを収容している。アジテータ３３ｅはトナー収容室３３ａに収容されたトナーを攪拌する。現像ローラ３３ｆは感光体ドラム３１の回転方向に沿って帯電器３２の下流側に配置されている。現像ローラ３３ｆのローラ軸には、正電圧が印加されるように構成されている。これにより、現像ローラ３３ｆと感光体ドラム３１に形成された静電潜像の電位との間に電位差が形成され、現像ローラ３３ｆにより、トナーが感光体ドラム３１に移動する。
【００３９】
露光部４０は、本体筐体２内部の最上方に配設されており、図示しない、レーザ光源、ポリゴンミラー等を有している。レーザ光源から発光されるレーザビームは、ポリゴンミラーで偏向されて、感光体ドラム３１表面に照射される。これにより、静電潜像が形成される。
【００４０】
転写部５０は、給紙部１０よりも上方であって、プロセスカートリッジ３０よりも下方に配設されている。転写部５０は、給紙部１０により給紙されたシートＰを排出トレイ５へ向かって搬送しつつ、シートＰにカラー画像を形成する。転写部５０は、駆動ローラ５１、従動ローラ５２、搬送ベルト５３、複数の転写ローラ５４等を有している。
【００４１】
搬送ベルト５３は、ベルトを環状にして構成された無端ベルトであり、プロセスカートリッジ３０Ｃの後端側下方に位置する駆動ローラ５１と、プロセスカートリッジ３０Ｋの前端側下方に位置する従動ローラ５２との間に掛け渡されている。
【００４２】
各転写ローラ５４は、搬送ベルト５３の用紙搬送面５３Ａを挟んで、各感光体ドラム３１と対向する位置において、用紙搬送面５３Ａの裏面側から搬送ベルト５３と接触している。各転写ローラ５４は、所定のタイミングで転写電流が付与されることで、感光体ドラム３１の表面に担持されたトナー像を、用紙搬送面５３Ａを搬送されるシートＰに転写する。
【００４３】
定着部６０は転写部５０よりも搬送方向下流側に配設されている。定着部６０は、加熱ローラ６１と加圧ローラ６２とを有しており、シートＰに転写されたトナー像を定着させる。
【００４４】
次に、プリンタ１における画像形成時の動作について説明する。各感光体ドラム３１の表面は、各帯電器３２によって、一様に正帯電され、印刷データに基づいて露光部４０により露光される。これにより、各感光体ドラム３１の表面には、夫々のトナー色に対応した静電潜像が形成される。次に、現像ローラ３３ｆにより、感光体ドラム３１表面に形成されている静電潜像にトナーが供給される。これにより、感光体ドラム３１の表面の静電潜像は可視像化され、感光体ドラム３１の表面にはトナー像が担持される。
【００４５】
一方、所定のタイミングで、給紙部１０によりシートＰは画像形成部２０に搬送される。感光体ドラム３１の表面に担持されたトナー像は、転写ローラ５４のローラ軸に印加される転写電流によりシートＰに転写される。そして、定着部６０に搬送され、トナーはシートＰに熱定着される。その後、シートＰは、排出ローラ６５により排出トレイ５に排出される。
【００４６】
次に、図２を用いて、プリンタ１の概略的な構成について説明する。プリンタ１は図１で示した給紙部１０、画像形成部２０等の他に制御部８０、電源部９０、電源スイッチＳＷ１、カバースイッチＳＷ２、トレイスイッチＳＷ３、プリンタ電源スイッチ７１等を有する。制御部８０はＣＰＵ８１、ＲＯＭ８２、ＲＡＭ８３、及び監視ＩＣ８４等を含む。ＣＰＵ８１はＲＯＭ８２に記憶されている各種のプログラムを実行することによって、バス８５を介して接続されている給紙部１０、画像形成部２０等を制御する。ＲＯＭ８２には制御プログラムや各種のデータなどが記憶されている。ＲＡＭ８３はＣＰＵ８１が各種の処理を実行するための主記憶装置として用いられる。
【００４７】
プリンタ電源スイッチ７１はユーザがプリンタ１の電源を操作するためのスイッチである。電源スイッチＳＷ１は、プリンタ電源スイッチ７１のオン・オフに連動してオープン・クローズする接点を備える。カバースイッチＳＷ２は、フロントカバー２ａのオープン・クローズに連動してオープン・クローズする接点を備える。トレイスイッチＳＷ３は、給紙トレイのオープン・クローズに連動してオープン・クローズする接点を備える。電源部９０は交流電圧Ｖａｃ（後述）から後述する電源電圧Ｖ１、Ｖ２、及び平滑電圧Ｖ３、Ｖ４を生成する。生成された電源電圧Ｖ１、Ｖ２、及び平滑電圧Ｖ３、Ｖ４は、不図示の電源線により制御部８０、給紙部１０、画像形成部２０等へ給電される。
【００４８】
ところで、プリンタ１は、動作モードとして通常モードとＯＦＦモードとを有する。通常モードでは、電源部９０が動作し、プリンタ１の各部に電源電圧Ｖ１、Ｖ２、及び平滑電圧Ｖ３、Ｖ４が給電される。これに対し、ＯＦＦモードでは、省電力のため電源部９０の一部が動作し、プリンタ１の一部に平滑電圧Ｖ３、Ｖ４が供給される。
【００４９】
図３を用いて、第１実施形態における電源部９０、制御部８０、電源スイッチＳＷ１、カバースイッチＳＷ２、及びトレイスイッチＳＷ３の回路構成について説明する。
【００５０】
電源部９０は、高圧電源部９１、ＤＣ−ＤＣコンバータ９２、小容量電源部９３、電圧制限回路９４、ダイオードＤ１、コンデンサＣ１、抵抗Ｒ１、及び抵抗Ｒ２等を含む。高圧電源部９１は、通常モードにおいて、ＡＣ電源１００から給電される交流電圧Ｖａｃから、例えばＤＣ２４Ｖの電源電圧Ｖ１を生成する。電源電圧Ｖ１は給紙部１０及び画像形成部２０等へ給電される。高圧電源部９１は電源制御ＩＣ９５を有している。電源制御ＩＣ９５は高圧電源部９１の動作を制御する。また、高圧電源部９１の後段には、ＤＣ−ＤＣコンバータ９２が接続されている。ＤＣ−ＤＣコンバータ９２は、電源電圧Ｖ１から例えばＤＣ３．３Ｖの電源電圧Ｖ２を生成する。電源電圧Ｖ２はＣＰＵ８１等に給電される。また、電源電圧Ｖ２は監視ＩＣ８４のポートＰ１に入力される。これにより、監視ＩＣ８４は高圧電源部９１が動作し、電源電圧Ｖ１を生成しているか否かを検知することができる。通常モードにおいて、高圧電源部９１は電源電圧Ｖ１を生成せず、ＣＰＵ８１は動作を停止する。
【００５１】
小容量電源部９３は、高圧電源部９１よりも小さい電源容量を有している。小容量電源部９３の後段に電圧制限回路９４が接続されている。小容量電源部９３は、通常モード及びＯＦＦモードにおいて直流電圧を生成し、生成された直流電圧は電圧制限回路９４へ入力される。電圧制限回路９４は交流電圧Ｖａｃが上昇した場合に、小容量電源部９３から出力される直流電圧の上昇を抑制し、平滑電圧Ｖ３を出力する。平滑電圧Ｖ３は抵抗Ｒ１を介して監視ＩＣ８４のポートＰ４へ、抵抗Ｒ２を介して監視ＩＣ８４のポートＰ５へ夫々入力される。電圧制限回路９４の後段にダイオードＤ１が接続されている。ダイオードＤ１のアノードには平滑電圧Ｖ３が入力され、カソードより平滑電圧Ｖ４が出力される。平滑電圧Ｖ４は監視ＩＣ８４へ給電される。これにより、通常モード及びＯＦＦモードにおいて、監視ＩＣ８４は動作する。ダイオードＤ１のカソードと接地電圧との間にコンデンサＣ１が接続される。コンデンサＣ１は、蓄電用のコンデンサであり、例えば電気２重層コンデンサである。コンデンサＣ１は、平滑電圧Ｖ４によって充電される。交流電圧Ｖａｃの給電が停止された場合にも、コンデンサＣ１に蓄電された電力が給電される期間、監視ＩＣ８４は動作することができる。
【００５２】
制御部８０はＣＰＵ８１、監視ＩＣ８４の他にＰＭＯＳトランジスタであるトランジスタＱ１及びＱ２、抵抗Ｒ３等を含む。ＣＰＵ８１と監視ＩＣ８４とは通信により、信号の送受信が行われる。監視ＩＣ８４のポートＰ２と電源制御ＩＣ９５とは信号線で接続されており、信号の送受信が行われる。
【００５３】
ポートＰ３と接地電圧との間に電源スイッチＳＷ１が接続される。また、ポートＰ３と平滑電圧Ｖ４との間に抵抗Ｒ３が接続される。ユーザによりプリンタ電源スイッチ７１がオンされ、プリンタ１の電源がオンしている期間、プリンタ電源スイッチ７１はクローズ状態になる。監視ＩＣ８４は、ポートＰ３への入力信号が平滑電圧Ｖ４から接地電圧に遷移した場合に、ユーザによりプリンタ電源スイッチ７１がオンされたと検知することができる。
【００５４】
ポートＰ４と接地電圧との間にカバースイッチＳＷ２が接続される。また、ポートＰ４はトランジスタＱ１のゲート端子に接続される。トランジスタＱ１のソース端子は電源電圧Ｖ２に接続され、ドレイン端子からカバー開閉信号Ｓｉｇ１が出力される。フロントカバー２ａがクローズされている期間、カバースイッチＳＷ２はクローズ状態になる。カバー開閉信号Ｓｉｇ１はＣＰＵ８１に入力される。
【００５５】
トランジスタＱ２もトランジスタＱ１と同様に接続される。即ち、トランジスタＱ２のゲート端子はポートＰ５に接続され、ソース端子は電源電圧Ｖ２に接続され、ドレイン端子からトレイ開閉信号Ｓｉｇ２が出力され、ＣＰＵ８１に入力される。トレイスイッチＳＷ３は、ポートＰ５と接地電圧との間に接続される。給紙トレイ１１がクローズされている期間、トレイスイッチＳＷ３はクローズ状態になる。
【００５６】
次に、通常モード及びＯＦＦモードにおける、フロントカバー２ａ及び給紙トレイ１１のオープンの検知方法について説明する。
【００５７】
通常モードにおいて、高圧電源部９１は動作するため、トランジスタＱ１及びＱ２のソース端子に電源電圧Ｖ２が給電される。フロントカバー２ａがクローズされている期間、トランジスタＱ１のゲート端子には接地電圧が印加されるため、トランジスタＱ１はオンし、ドレイン端子からカバー開閉信号Ｓｉｇ１が出力される。一方、フロントカバー２ａがオープンされている期間、トランジスタＱ１のゲート端子には平滑電圧Ｖ３が印加されるため、トランジスタＱ１はオフし、ドレイン端子からカバー開閉信号Ｓｉｇ１が出力されない。トランジスタＱ２もトランジスタＱ１と同様に動作する。即ち、給紙トレイ１１がクローズされている期間、ドレイン端子からトレイ開閉信号Ｓｉｇ２は出力され、給紙トレイ１１がオープンされている期間、ドレイン端子からトレイ開閉信号Ｓｉｇ２が出力されない。ＣＰＵ８１はカバー開閉信号Ｓｉｇ１が入力されない期間、フロントカバー２ａがオープン状態であると検知することができる。また、トレイ開閉信号Ｓｉｇ２が入力されない期間、給紙トレイ１１がオープン状態であると検知することができる。
【００５８】
一方、ＯＦＦモードにおいては、高圧電源部９１は動作を停止するため、トランジスタＱ１及びＱ２のソース端子に電源電圧Ｖ２が給電されない。このため、カバー開閉信号Ｓｉｇ１及びトレイ開閉信号Ｓｉｇ２は出力されない。ＯＦＦモードにおいては、動作を停止するＣＰＵ８１に替わって、監視ＩＣ８４がフロントカバー２ａ及び給紙トレイ１１の開閉を検知する。ＯＦＦモードにおいても、小容量電源部９３は動作し、抵抗Ｒ１及びＲ２に平滑電圧Ｖ３が給電される。監視ＩＣ８４は、ポートＰ４への入力信号が接地電圧であれば、フロントカバー２ａがクローズ状態であると検知することができる。一方、ポートＰ４への入力信号が平滑電圧Ｖ３であれば、フロントカバー２ａがオープン状態であると検知することができる。監視ＩＣ８４は、フロントカバー２ａと同様に給紙トレイ１１の状態を検知することができる。即ち、ポートＰ５への入力信号が接地電圧であれば給紙トレイ１１がクローズ状態であり、平滑電圧Ｖ３であればオープン状態であると検知することができる。
【００５９】
ところで、カバースイッチＳＷ２がクローズされている期間、平滑電圧Ｖ３から抵抗Ｒ１及びカバースイッチＳＷ２を介して接地電圧への電流経路が形成される。また、トレイスイッチＳＷ３がクローズされている期間、平滑電圧Ｖ３から抵抗Ｒ２及びカバースイッチＳＷ２を介して接地電圧への電流経路が形成される。しかし、コンデンサＣ１から平滑電圧Ｖ３への電流経路はダイオードＤ１により遮断される。このため、交流電圧Ｖａｃが給電されている期間、コンデンサＣ１は効率良く充電される。また、交流電圧Ｖａｃの給電が停止された場合に、コンデンサＣ１から平滑電圧Ｖ３への電流経路はダイオードＤ１により遮断されるため、コンデンサＣ１の放電は抑制され、監視ＩＣ８４の動作時間を確保することができる。
【００６０】
カバー開閉信号Ｓｉｇ１はＣＰＵ８１の他に画像形成部２０等にも入力される。詳しくは、画像形成部２０に含まれる露光部４０のレーザ光源、帯電器３２等の高圧電圧が印加される部分への印加電圧を制御する制御回路に入力される。フロントカバー２ａがオープンされた場合には、ユーザの安全のため、高圧電圧を遮断する必要があるためである。
【００６１】
監視ＩＣ８４は第１レジスタ８６、第２レジスタ８７、及び第３レジスタ８８を有する。第１レジスタ８６はプリンタ電源スイッチ７１がオンされたことを記憶する。第２レジスタ８７はフロントカバー２ａがオープンされたこと（以後、カバー履歴と称する。）を記憶する。第３レジスタ８８は給紙トレイ１１がオープンされたこと（以後、トレイ履歴と称する。）を記憶する。
【００６２】
ここで、交流電圧Ｖａｃの給電が停止された場合について説明する。交流電圧Ｖａｃの給電が停止された場合には、ユーザによりプリンタ１の電源コードが抜かれた場合及び停電などがある。交流電圧Ｖａｃの給電が停止された場合には、動作モードによらずＣＰＵ８１は電源電圧Ｖ２が給電されないため、動作を停止する。一方、監視ＩＣ８４は、コンデンサＣ１から電力が給電される期間、動作を継続することができる。しかし、平滑電圧Ｖ３は生成ないため、フロントカバー２ａ及び給紙トレイ１１がオープンされたか否かを検知することはできない。
【００６３】
ところで、ユーザによりプロセスカートリッジ３０が交換された場合及び給紙トレイ１１内のシートＰの残量が変化された場合などには、画像形成動作に先立って公知のガラ回しを実行する必要がある。尚、ガラ回しには、アジテータ３３ｅを回転させる動作及び圧板１４を変位させる動作が含まれる。プロセスカートリッジ３０交換の際には、フロントカバー２ａがオープンされるため、フロントカバー２ａがオープンされたか否かにより、プロセスカートリッジ３０が交換されたか否かを推定することができる。同様に、給紙トレイ１１がオープンされたか否かにより、シートＰの残量が変化されたか否かを推定することができる。
【００６４】
通常モードにおいては、ＣＰＵ８１が動作しているため、フロントカバー２ａ及び給紙トレイ１１がオープンされたか否かをＣＰＵ８１が判断し、ガラ回しを実行する必要があるか否かを判断することができる。一方、ＯＦＦモードにおいては、ＣＰＵ８１は動作を停止するため、監視ＩＣ８４が、フロントカバー２ａ及び給紙トレイ１１がオープンされたか否かを監視する。フロントカバー２ａがオープンされたことに応じて、カバー履歴が第２レジスタ８７に記憶される。給紙トレイ１１がオープンされたことに応じて、トレイ履歴が第３レジスタ８８に記憶される。これにより、例えば、プリンタ１がＯＦＦモードから通常モードに移行した後、ＣＰＵ８１はカバー履歴及びトレイ履歴が記憶されているか否かを夫々第２レジスタ８７及び第３レジスタ８８の値を参照することにより、ガラ回しを実行する必要があるか否かを判断することができる。続いて、ＯＦＦモードにおけるフロントカバー２ａ及び給紙トレイ１１の監視と、通常モードに移行した後のガラ回しの処理について詳述する。
【００６５】
まず、第１実施形態に係るＯＦＦモード処理１について、図４を用いて説明する。ＯＦＦモード処理１はＯＦＦモードにおいて、フロントカバー２ａ及び給紙トレイ１１がオープンされたか否かを監視ＩＣ８４が監視するための処理である。尚、給紙トレイ１１のオープン・クローズに伴う処理はフロントカバー２ａと同様に実行されるため、フローチャートでの記載を省略する。ＯＦＦモード処理１は、フロントカバー２ａ及び給紙トレイ１１がオープンされたことを検知したことに応じて、第２レジスタ８７にカバー履歴及びトレイ履歴を記憶することができる機能が監視ＩＣ８４に備えられている場合に適用される処理である。
【００６６】
まず、通常モードにおいて、ＣＰＵ８１はプリンタ電源スイッチ７１がオフされたか否かを判断する（Ｓ１）。プリンタ電源スイッチ７１がユーザによりオフされると、電源スイッチＳＷ１がオープンされる。これにより、ポートＰ３へ入力信号は接地電圧から平滑電圧Ｖ４へ遷移するため、監視ＩＣ８４はプリンタ電源スイッチ７１がオフされたことを検知することができる。監視ＩＣ８４との通信により、ＣＰＵ８１はプリンタ電源スイッチ７１がオフされたことを検知することができる。プリンタ電源スイッチ７１がオフされていないと判断することに応じて（Ｓ１：ＮＯ）、ステップＳ１へ戻り、待機する。一方、プリンタ電源スイッチ７１がオフされたと判断することに応じて（Ｓ１：ＹＥＳ）、ＣＰＵ８１はＯＦＦモードにおいて監視ＩＣ８４に監視させるため、カバースイッチＳＷ２及びトレイスイッチＳＷ３がオープンされたのを検知した場合に夫々第２レジスタ８７及び第３レジスタ８８に記憶するように設定する（Ｓ３）。
【００６７】
次にＣＰＵ８１は通信または不図示の信号線により、電源制御ＩＣ９５に電源電圧Ｖ１の出力を停止するよう指示する停止指令を出力する。これにより、高圧電源部９１は電源電圧Ｖ１の出力を停止し、プリンタ１はＯＦＦモードへ移行され（Ｓ５）、ＣＰＵ８１は動作を停止する。ＯＦＦモードにおいて、監視ＩＣ８４はカバースイッチＳＷ２がオープンされたか否かを判断する（Ｓ７）。フロントカバー２ａがオープンされると、カバースイッチＳＷ２はオープンされるため、監視ＩＣ８４はフロントカバー２ａがオープンされたか否かを判断することができる。監視ＩＣ８４はカバースイッチＳＷ２がオープンされたと判断することに応じて（Ｓ７：ＹＥＳ）、第２レジスタ８７にカバー履歴を記憶する（Ｓ９）。詳しくは第２レジスタ８７の値を初期値の０から１へ更新する。一方、監視ＩＣ８４はカバースイッチＳＷ２がオープンされていないと判断することに応じて（Ｓ７：ＮＯ）、ステップＳ９をスキップする。次に、給紙トレイ１１についても同様の処理を実行する。即ち、監視ＩＣ８４はトレイスイッチＳＷ３がオープンされたと判断することに応じて、第３レジスタ８８にトレイ履歴を記憶する。詳しくは第３レジスタ８８の値を初期値の０から１へ更新する。一方、監視ＩＣ８４はトレイスイッチＳＷ３がオープンされていないと判断することに応じて、第３レジスタ８８にトレイ履歴を記憶しない。
【００６８】
次に、監視ＩＣ８４はプリンタ電源スイッチ７１がオンされたか否かを判断する（Ｓ１１）。ユーザによりプリンタ電源スイッチ７１がオンされると、電源スイッチＳＷ１がクローズされるため、ポートＰ３に接地電圧が入力され、プリンタ電源スイッチ７１がオンされたと判断することができる。プリンタ電源スイッチ７１がオンされたと判断することに応じて（Ｓ１１：ＹＥＳ）、監視ＩＣ８４は電源制御ＩＣ９５へ動作を再開させる指令をポートＰ２から出力する（Ｓ１３）。また、第１レジスタ８６の値を初期値の０から１へ更新し、処理を終了する。一方、プリンタ電源スイッチ７１がオンされていないと判断することに応じて（Ｓ１１：ＮＯ）、ステップＳ７へ戻る。
【００６９】
次に、ガラ回し処理について図５を用いて説明する。
【００７０】
高圧電源部９１が電源電圧Ｖ１の生成を停止した状態から動作状態になると、ＣＰＵ８１は電源電圧Ｖ２を供給され、動作を再開する。その後、ガラ回し処理を実行する。高圧電源部９１が電源電圧Ｖ１の生成を停止した状態から開始状態になる場合には、上述のＯＦＦモード処理１において、ユーザによりプリンタ電源スイッチ７１をオンされた場合の他に、交流電圧Ｖａｃの給電が再開された場合などがある。交流電圧Ｖａｃの給電が再開された場合について、以下、詳しく説明する。
【００７１】
電源制御ＩＣ９５は交流電圧Ｖａｃの供給状態を監視している。交流電圧Ｖａｃの供給が停止された場合には、通常モードかＯＦＦモードかに依らず、高圧電源部９１では電源電圧Ｖ１の生成が停止される。次に、交流電圧Ｖａｃの供給が再開されると、電源制御ＩＣ９５は高圧電源部９１を制御し、高圧電源部９１により電源電圧Ｖ１の生成が再開される。
【００７２】
交流電圧Ｖａｃの給電が停止されている期間、フロントカバー２ａ及び給紙トレイ１１がオープンされたか否かを監視することはできない。そこで、高圧電源部９１が動作を再開し、ＣＰＵ８１が動作を開始した後、ガラ回しを実行する必要があるか否かを判断するにあたって、交流電圧Ｖａｃの給電が停止されている期間があったか否かを判断する必要がある。ＣＰＵ８１は第１レジスタ８６にプリンタ電源スイッチ７１がオンされたことが記憶されているか否かを判断することにより、交流電圧Ｖａｃの給電が停止されていた期間があったか否かを判断することができる。
【００７３】
ステップＳ１３に係る指令を受ける事に応じて、あるいは、交流電圧Ｖａｃの供給が再開される事に応じて、電源制御ＩＣ９５は高圧電源部９１を制御し、高圧電源部９１により電源電圧Ｖ１の生成が再開される（Ｓ２１）。これにより、ＣＰＵ８１は電源電圧Ｖ２が供給され、動作を開始する（Ｓ２３）。ＣＰＵ８１は、監視ＩＣ８４の第１レジスタ８６、第２レジスタ８７、及び第３レジスタ８８の値を読み出し、ガラ回しが省略できるか否かを判断する（Ｓ２５）。図６のテーブル１を用いて、詳しく説明する。テーブル１は第１レジスタ８６、第２レジスタ８７及び第３レジスタ８８の値の組み合わせとガラ回しの有無との対応を示したテーブルである。ここで、ガラ回しの欄に「○」印で記載されている場合にはガラ回しを実行し、記載されていない場合にはガラ回しを省略することを示している。第１レジスタ８６の値が１である場合には、ＯＦＦモードにおいて、ユーザによりプリンタ電源スイッチ７１がオンされたことにより、通常モードに復帰された事を示す。一方、レジスタ１の値が０である場合には、ユーザによりプリンタ電源スイッチ７１が操作されておらず、即ち、交流電圧Ｖａｃの供給が再開された場合である事を示す。また、第２レジスタ８７の値が１である場合には、ＯＦＦモードにおいて、ユーザによりフロントカバー２ａがオープンされたことを示す。一方、第２レジスタ８７の値が０である場合には、ＯＦＦモードにおいて、ユーザによりフロントカバー２ａがオープンされていないことを示す。同様に、第３レジスタ８８の値が１である場合には給紙トレイ１１がオープンされたことを示し、０である場合にはオープンされていないことを示す。
【００７４】
第１レジスタ８６の値が０である場合（Ｎｏ１〜４）には、交流電圧Ｖａｃの供給が停止された期間があったため、ガラ回しを実行すると判断する。交流電圧Ｖａｃの供給が停止された期間に、フロントカバー２ａ及び給紙トレイ１１がオープンされた場合があるためである。第１レジスタ８６の値が１である場合（Ｎｏ５〜８）には、ＯＦＦモードから通常モードへ移行した事を示すため、第２レジスタ８７及び第３レジスタ８８の値に応じて、ガラ回しの有無を判断する。つまり、第２レジスタ８７及び第３レジスタ８８の値がどちらも０である場合（Ｎｏ５）には、フロントカバー２ａ及び給紙トレイはオープンされていないため、ガラ回しを省略する。一方、第２レジスタ８７及び第３レジスタ８８の少なくとも一方の値が１である場合（Ｎｏ６〜８）には、フロントカバー２ａ及び給紙トレイの少なくとも一方はオープンされたため、ガラ回しを実行する。
【００７５】
図５に戻り、ガラ回しが省略できないと判断したことに応じて（Ｓ２５：ＮＯ）、ガラ回しを実行し（Ｓ２７）、処理は終了する。一方、ガラ回しが省略できると判断したことに応じて（Ｓ２５：ＹＥＳ）、ガラ回しを省略し、処理を終了する。尚、第１レジスタ８６、第２レジスタ８７、及び第３レジスタ８８の値は処理終了後に０に初期化される。ガラ回しに含まれるアジテータ３３ｅを回転させる動作を行うと、トナーが劣化する。従って、不要なガラ回しを省略することにより、トナーの劣化を抑制することができる。
【００７６】
ここで、フロントカバー２ａ及び給紙トレイ１１は筐体カバーの一例である。プリンタ電源スイッチ７１は電源スイッチの一例である。電源電圧Ｖ１は制御系電源電圧の一例である。高圧電源部９１は電源部の一例である。ＣＰＵ８１は制御部の一例であり、監視ＩＣ８４は監視部の一例である。ステップＳ７は第１検知処理の一例であり、ステップＳ９は第１記憶処理の一例である。ステップＳ１１は第２検知処理の一例であり、ステップＳ１３は第１起動処理の一例である。ガラ回しは準備動作の一例である。ガラ回し処理（図５）は第１起動処理の一例である。ポートＰ４及びＰ５は検出端子の一例であり、カバースイッチＳＷ２及びトレイスイッチＳＷ３は検知スイッチの一例であり、トランジスタＱ１及びＱ２はスイッチ回路の一例である。また、カバースイッチＳＷ２、抵抗Ｒ１で構成される回路、トレイスイッチＳＷ３、抵抗Ｒ２で構成される回路は検知回路の一例である。交流電圧Ｖａｃは商用交流電圧の一例である。小容量電源部９３及び電圧制限回路９４は整流部の一例であり、ダイオードＤ１は整流素子の一例である。テーブル１のＮｏ１の条件に従って実行されるガラ回し（Ｓ２７）は第３起動処理の一例である。
【００７７】
以上、上記した第１実施形態によれば、以下の効果を奏する。
【００７８】
高圧電源部９１の停止状態においても、監視ＩＣ８４は小容量電源部９３により平滑電圧Ｖ４が供給される。これにより、監視ＩＣ８４はＯＦＦモード処理１を実行することができる。高圧電源部９１の停止状態において、監視ＩＣ８４はステップＳ７によりフロントカバー２ａが開けられたことを検知することに応じて、ステップＳ９においてカバー履歴を記憶する。詳しくは、第２レジスタ８７の値を１に更新する。同様に、監視ＩＣ８４は給紙トレイ１１が開けられたことを検知することに応じて、トレイ履歴を記憶する。すなわち第３レジスタ８８の値を１に更新する。高圧電源部９１の停止状態において、監視ＩＣ８４はステップＳ１１においてプリンタ電源スイッチ７１が操作されたことを検知することに応じて、ステップＳ１３において電源制御ＩＣ９５に停止状態から動作状態への切替えを指令する。また、第１レジスタ８６の値を１に更新する。これにより、高圧電源部９１は停止状態から動作状態へ切替えられる。
【００７９】
ＣＰＵ８１は高圧電源部９１が動作状態へ切替えられたことに応じて、第１レジスタ８６、第２レジスタ８７、及び第３レジスタ８８の値を取得し、第１レジスタ８６の値が１であり、第２レジスタ８７及び第３レジスタ８８の少なくとも一方の値が１である場合（Ｓ２５：ＮＯ）にはガラ回しを行い（Ｓ２７）、第２レジスタ８７及び第３レジスタ８８のどちらの値も０の場合にはガラ回しを行わない（Ｓ２７：ＹＥＳ）。第１レジスタ８６の値が１である場合とは、監視ＩＣ８４によるフロントカバー２ａ及び給紙トレイ１１の監視が継続されていた事を示す。高圧電源部９１の動作状態においてフロントカバー２ａ及び給紙トレイ１１がオープンされた場合に、高圧電源部９１が動作状態に切替えられたことに応じてガラ回しを行い、フロントカバー２ａ及び給紙トレイ１１がオープンされていない場合にはガラ回しを省略する。フロントカバー２ａ及び給紙トレイ１１がオープンされていない場合にはガラ回しを省略することにより、省電力化し、ガラ回しによるトナーの劣化を抑制することができる。高圧電源部９１が停止状態にあり、電源電圧Ｖ２が給電されずＣＰＵ８１が動作を停止している場合でも、小容量電源部９３より平滑電圧Ｖ４が供給されている監視ＩＣ８４により、フロントカバー２ａ及び給紙トレイ１１のオープン・クローズとプリンタ電源スイッチ７１の操作に係る最小限の監視を行うことができる。ＣＰＵ８１は動作を停止しており、監視ＩＣ８４が動作するための必要最小限の電力消費に抑制された省電力状態を実現できる。
【００８０】
高圧電源部９１の動作状態において、フロントカバー２ａ及び給紙トレイ１１のオープン・クローズに応じてカバースイッチＳＷ２及びトレイスイッチＳＷ３のオープン・クローズが切り替わり、トランジスタＱ１及びＱ２によって電源電圧Ｖ２から夫々カバー開閉信号Ｓｉｇ１及びトレイ開閉信号Ｓｉｇ２が生成される。これにより、フロントカバー２ａ及び給紙トレイ１１がオープンされたことがＣＰＵ８１へ報知される。一方、高圧電源部９１の停止状態において、電源電圧Ｖ２が給電されないため、トランジスタＱ１及びＱ２のゲート電圧に依らず、カバー開閉信号Ｓｉｇ１及びトレイ開閉信号Ｓｉｇ２は生成されない。ＣＰＵ８１に電源電圧Ｖ２が給電されない状態で、カバー開閉信号Ｓｉｇ１及びトレイ開閉信号Ｓｉｇ２が入力されることにより発生するおそれのあるＣＰＵ８１の破損を防止することができる。これに対して、高圧電源部９１の動作状態、停止状態に依らず、監視ＩＣ８４にはポートＰ４及びＰ５よりフロントカバー２ａ及び給紙トレイ１１のオープンが報知される。カバースイッチＳＷ２を１つの構成で、高圧電源部９１の動作状態と停止状態のどちらの状態でもフロントカバー２ａのオープンを検出することができる。同様に、トレイスイッチＳＷ３を１つの構成で、高圧電源部９１の状態に依らず、給紙トレイ１１のオープンを検出することができる。
【００８１】
高圧電源部９１の動作状態において、フロントカバー２ａがクローズされている場合には、カバースイッチＳＷ２はクローズし、ポートＰ４及びトランジスタＱ１のゲート端子には接地電圧が印加されるため、トランジスタＱ１はカバー開閉信号Ｓｉｇ１を生成する。これにより、フロントカバー２ａのオープン・クローズがＣＰＵ８１へ報知される。同様に、給紙トレイ１１がクローズされている場合にトランジスタＱ２はトレイ開閉信号Ｓｉｇ２を生成する。これにより、給紙トレイ１１のオープン・クローズがＣＰＵ８１へ報知される。フロントカバー２ａ及び給紙トレイ１１がクローズしている期間、カバースイッチＳＷ２及びトレイスイッチＳＷ３はクローズするため、平滑電圧Ｖ３から接地電圧への電流経路ができるが、ダイオードＤ１によりコンデンサＣ１から平滑電圧Ｖ３への電流の流れが妨げられるため、コンデンサＣ１を効率良く充電することができる。
【００８２】
ステップＳ２５において、ＣＰＵ８１はテーブル１（図６）に従って判断する。第１レジスタ８６の値が０である場合（Ｎｏ１〜４）にはガラ回しを実行する。第１レジスタ８６の値が０である場合とは、プリンタ電源スイッチ７１がオンされずに高圧電源部９１が動作状態に切替えられた事を示す。即ち、交流電圧Ｖａｃの給電が停止された後、給電が再開され、高圧電源部９１が動作状態となった場合である。交流電圧Ｖａｃの給電が停止されている期間に、フロントカバー２ａあるいは給紙トレイ１１がオープンされたとしても、ポートＰ４及びＰ５には平滑電圧Ｖ３が入力されないため、監視ＩＣ８４はフロントカバー２ａあるいは給紙トレイ１１がオープンされたと認識することができない。つまり、交流電圧Ｖａｃの給電が停止されている期間、フロントカバー２ａ及び給紙トレイ１１の監視を行うことができない。第２レジスタ８７及び第３レジスタ８８の値が０である場合、即ち、フロントカバー２ａ及び給紙トレイ１１がオープンされたことが記憶されていない場合であっても、交流電圧Ｖａｃの給電が停止されている期間にフロントカバー２ａ及び給紙トレイ１１がオープンされた場合があるため、ガラ回しを実行する。これにより、必要なガラ回しを実行することができる。
【００８３】
次に、第２実施形態に係るＯＦＦモード処理２について図７を用いて説明する。ＯＦＦモード処理２は、フロントカバー２ａ及び給紙トレイ１１がオープンされたことを検知したことに応じて、第２レジスタ８７及び第３レジスタ８８にカバー履歴及びトレイ履歴を記憶することができる機能が監視ＩＣ８４に備えられていない場合に適用される処理である。ＯＦＦモード処理１（図４）と同じステップについては同一の符号を付し、詳細な説明は適宜省略する。また、給紙トレイ１１のオープン・クローズに伴う処理はフロントカバー２ａと同様に実行されるため、フローチャートでの記載を省略する。
【００８４】
まず、ＣＰＵ８１はＯＦＦモード処理１と同様にステップＳ１を実行する。プリンタ電源スイッチ７１がオフされたと判断した後（Ｓ１：ＹＥＳ）、フロントカバー２ａまたは給紙トレイ１１がオープンされたのを検知したことに応じて、高圧電源部９１を起動する動作指令の設定（以後、起動設定と称する）を監視ＩＣ８４に対して実行する（Ｓ３１）。これにより監視ＩＣ８４は、不図示のレジスタに起動設定を記憶する。次に、ＣＰＵ８１は電源制御ＩＣ９５に停止指令を出力する。これにより、高圧電源部９１は停止し（Ｓ５）、プリンタ１はＯＦＦモードへ移行する。
【００８５】
次に、監視ＩＣ８４はカバースイッチＳＷ２がオープンされたか否かを判断する（Ｓ７）。監視ＩＣ８４はカバースイッチＳＷ２がオープンされていないと判断することに応じて（Ｓ７：ＮＯ）、次のステップＳ３３〜４５をスキップする。一方、監視ＩＣ８４はカバースイッチＳＷ２がオープンされたと判断することに応じて（Ｓ７：ＹＥＳ）、起動設定が記憶されるレジスタを参照し、フロントカバーがオープンされたことを検知した場合に電源制御ＩＣ９５に動作指令を出力する設定であるか否かを判断する（Ｓ３３）。電源制御ＩＣ９５に動作指令を出力しない設定でないと判断することに応じて（Ｓ３３：ＮＯ）、次のステップＳ３５〜４５をスキップする。一方、電源制御ＩＣ９５に動作指令を出力する設定であると判断することに応じて（Ｓ３３：ＹＥＳ）、電源制御ＩＣ９５へ動作指令を出力する（Ｓ３５）。これにより、高圧電源部９１は動作を開始し、ＣＰＵ８１は起動する（Ｓ３７）。
【００８６】
ＣＰＵ８１はカバー開閉信号Ｓｉｇ１により、フロントカバー２ａのオープン起因で起動されたのか否かを確認し、フロントカバー２ａのオープン起因で起動されたと判断することに応じて、ＣＰＵ８１は不図示のタイマにより、経過時間の計測を開始する。ここで、ＣＰＵ８１が起動起因を確認するのは、フロントカバー２ａのオープン起因の他、ユーザによりプリンタ電源スイッチ７１がオンされた場合などもあるためである。次に、フロントカバー２ａがクローズされる（Ｓ３９）と、ＣＰＵ８１は経過時間の計測を停止し、起動からフロントカバー２ａがクローズされるまでの時間（以後、フロントカバーオープン時間と称する。）が、所定時間以上であるか否かを判断する（Ｓ４１）。ここで、所定時間とは、ユーザにより、カートリッジが交換されるのに要する時間である。フロントカバーオープン時間が所定時間未満であると判断することに応じて（Ｓ４１：ＮＯ）、ユーザによりカートリッジの交換はされていないと判断されるため、ステップＳ４５へ進む。一方、フロントカバーオープン時間が所定時間以上であると判断することに応じて（Ｓ４：ＹＥＳ）、ユーザによりカートリッジの交換された場合があるため、ＣＰＵ８１が、監視ＩＣ８４の第２レジスタ８７にカバー履歴を記憶する（Ｓ９）。次に、フロントカバー２ａが再度オープンされたのを検知した場合に高圧電源部９１の制御ＩＣに動作指示を実行しないように監視ＩＣ８４を設定する（Ｓ４３）。これにより、第２レジスタ８７または第３レジスタ８８への記録がされガラ回しの実行が設定された後の２回目以降の電源制御ＩＣ９５へ動作指示を行わない。２回目以降のフロントカバー２ａや給紙トレイ１１のオープンの場合にはＣＰＵ８１を動作させず、省電力とすることができる。次に、電源制御ＩＣ９５へ停止指令を出力する。これにより、高圧電源部９１は動作を停止する（Ｓ４５）。
【００８７】
次に、給紙トレイ１１についても、ステップＳ７〜４５と同様の処理を実行する。即ち、給紙トレイ１１がオープンされたと判断することに応じて、起動設定が記憶されているか否かを判断し、記憶されていると判断することに応じて、電源制御ＩＣ９５へ動作指令を出力する。ＣＰＵ８１は起動後、給紙トレイ１１がクローズするまでの時間を計測し、所定時間以上であると判断することに応じて、トレイ履歴を第３レジスタ８８に記録し、起動設定を変更する。ここで、所定時間とは、例えば、ユーザが給紙トレイ１１に用紙を供給するのに要する時間である。一方、所定時間未満であると判断することに応じて、トレイ履歴を第３レジスタ８８に記録せず、起動設定を変更しない。次に、監視ＩＣ８４は電源制御ＩＣ９５へ停止指令を出力する。尚、給紙トレイ１１がオープンされていないと判断することに応じて、及び起動設定が記憶されていないと判断することに応じて、電源制御ＩＣ９５へ動作指令を出力する処理以降の処理はスキップする。次に、ステップＳ１１及びＳ１３を実行する。
【００８８】
ここで、ステップＳ３１は設定処理及び第２記憶処理の一例である。ステップＳ５は第１停止指令処理の一例であり、ステップＳ３５は第２起動指令処理の一例であり、ステップＳ９は記憶指令処理の一例であり、ステップＳ４５は第２停止指令処理の一例である。
【００８９】
以上、上記した第２実施形態によれば、以下の効果を奏する。
【００９０】
監視ＩＣ８４を起動設定に設定することにより、監視ＩＣ８４はステップＳ７でフロントカバー２ａ及び給紙トレイ１１のオープンを検知することに応じて、電源制御ＩＣ９５に動作状態への切替えを指令する（Ｓ３５）。これにより、フロントカバー２ａ及び給紙トレイ１１が開けられる度にＣＰＵ８１は電源電圧Ｖ２が供給される。
【００９１】
ステップＳ４１及び４３は省略することもできる。この場合、ＣＰＵ８１は電源電圧Ｖ２が供給される度に、監視ＩＣ８４の第２レジスタ８７へカバー履歴を記録する（Ｓ９）。フロントカバー２ａのオープンを検知することに応じて、第２レジスタ８７へ記録する機能を監視ＩＣ８４が有していない場合においても、高圧電源部９１は動作状態に切替えられ、ＣＰＵ８１に電源電圧Ｖ２が供給されることにより、監視ＩＣ８４の第２レジスタ８７にカバー履歴を記憶することができる。同様に、給紙トレイ１１のオープンを検知することに応じて、監視ＩＣ８４の第３レジスタ８８にトレイ履歴を記憶することができる。ＣＰＵ８１はフロントカバー２ａ及び給紙トレイ１１が開けられた場合に一時的に動作状態になる。ＣＰＵ８１の動作期間は限定されるため、省電力にすることができる。
【００９２】
初めにフロントカバー２ａがオープンされた場合には、監視ＩＣ８４は電源制御ＩＣ９５へ動作指示を実行し（Ｓ３５）、２回目以降は電源制御ＩＣ９５へ動作指示を実行しない。これにより、２回目以降、フロントカバー２ａがオープンされた場合にはＣＰＵ８１を動作させず、省電力とすることができる。同様に、給紙トレイ１１が２回目以降オープンされた場合には、電源制御ＩＣ９５へ動作指示を実行しないことにより、省電力とすることができる。
【００９３】
フロントカバー２ａがオープンされたことを検知することに応じて（Ｓ７：ＹＥＳ）高圧電源部９１が動作状態へ切替えられてから、フロントカバー２ａがクローズされるまでの経過時間が所定時間未満である場合（Ｓ４１：ＮＯ）には、第２レジスタ８７にカバー履歴を記憶しない。経過時間が所定時間未満である場合には、プロセスカートリッジ３０の交換は行われていないと判断されるため、ガラ回しを行う必要はないと判断する。不要なガラ回しを省略して、ガラ回しによるトナーの劣化を抑制することができる。同様に、給紙トレイ１１がクローズされるまでの経過時間が所定時間未満である場合には、ガラ回しを省略することにより、トナーの劣化を抑制することができる。
【００９４】
次に、図８を用いて、第３実施形態に係る電源部９０、制御部８０、電源スイッチＳＷ１、カバースイッチＳＷ４、及びトレイスイッチＳＷ５の回路構成について説明する。尚、第１実施形態と同一の構成については同一の符号を付し、詳細な説明は適宜省略する。
【００９５】
第３実施形態では、第１実施形態に係るカバースイッチＳＷ２に替えて、カバースイッチＳＷ４を有する。また、第１実施形態に係るトレイスイッチＳＷ３に替えて、トレイスイッチＳＷ５を有する。フロントカバー２ａがクローズ状態においてカバースイッチＳＷ４はオープンし、フロントカバー２ａがオープン状態においてカバースイッチＳＷ４はクローズする。また、給紙トレイ１１がクローズ状態においてトレイスイッチＳＷ５はオープンし、給紙トレイ１１がオープン状態においてトレイスイッチＳＷ５はクローズする。また、第１実施形態に係る抵抗Ｒ１及びＲ２に替えて、抵抗Ｒ４及びＲ５を有する。抵抗Ｒ４はダイオードＤ１のカソードとポートＰ４との間に接続される。抵抗Ｒ５はダイオードＤ１のカソードとポートＰ５との間に接続される。
【００９６】
次に、通常モード及びＯＦＦモードにおける、フロントカバー２ａ及び給紙トレイ１１のオープンの検知方法について説明する。
【００９７】
通常モードにおいては、ＣＰＵ８１及びトランジスタＱ１及びＱ２のソース端子に電源電圧Ｖ２が給電される。フロントカバー２ａがオープンされている期間、トランジスタＱ１及びＱ２のゲート端子には接地電圧が印加されるため、トランジスタＱ１及びＱ２はオンし、ドレイン端子から夫々カバー開閉信号Ｓｉｇ１及びトレイ開閉信号Ｓｉｇ２は出力される。一方、フロントカバー２ａがクローズされている期間、トランジスタＱ１及びＱ２のゲート端子には平滑電圧Ｖ４が印加されるため、トランジスタＱ１及びＱ２はオフし、ドレイン端子からカバー開閉信号Ｓｉｇ１及びトレイ開閉信号Ｓｉｇ２が出力されない。ＯＦＦモードにおいては、第１実施形態と同様に、ドレイン端子からカバー開閉信号Ｓｉｇ１及びトレイ開閉信号Ｓｉｇ２は出力されない。第１実施形態と同様に、ＯＦＦモードにおいても監視ＩＣ８４はプリンタ電源スイッチ７１がオンされたこと、及びフロントカバー２ａ及び給紙トレイ１１がオープンされたことを検知することができる。
【００９８】
続いて、交流電圧Ｖａｃの給電が停止された場合について説明する。監視ＩＣ８４は、コンデンサＣ１に蓄電された電力が給電される期間、動作を継続することができる。さらに、平滑電圧Ｖ４はポートＰ４及びＰ５に給電されるため、フロントカバー２ａ及び給紙トレイ１１がオープンされたか否かを検知することができる。つまり、交流電圧Ｖａｃの給電が停止された後も、コンデンサＣ１に蓄電された電力が給電される期間、監視ＩＣ８４はフロントカバー２ａ及び給紙トレイ１１の監視を継続することができる。尚、コンデンサＣ１の電荷がなくなった場合及び交流電圧Ｖａｃの給電が再開された場合には、ＣＰＵ８１が起動した後、監視ＩＣ８４はリセットされる。また、リセットされた場合に、監視ＩＣ８４はリセットされたことをＣＰＵ８１へ報知する。
【００９９】
第３実施形態では、ガラ回し処理に係るステップＳ２５において、図９に示すテーブル２に従って判断する。テーブル２は第１レジスタ８６、第２レジスタ８７、及び第３レジスタ８８の値、及び、監視ＩＣ８４のリセットの有無の組み合わせとガラ回しの有無との対応を示すテーブルである。
【０１００】
監視ＩＣ８４がリセットされた場合（Ｎｏ１、６）には、フロントカバー２ａ及び給紙トレイ１１がオープンされたか否かが不明のため、ガラ回しを実行する。監視ＩＣ８４がリセットされた場合とは、コンデンサＣ１による給電が停止され、第２レジスタ８７及び第３レジスタ８８に記憶していた情報が失われてしまった場合であるためである。尚、Ｎｏ６の場合とは、プリンタ電源スイッチ７１がオンされたまま、交流電圧Ｖａｃの給電が再開された場合である。監視ＩＣ８４がリセットされていない場合（Ｎｏ２〜５、７〜１０）には、第１レジスタ８６の値に係わらず、第２レジスタ８７及び第３レジスタ８８の値に応じて、ガラ回しを実行するか否かを判断する。監視ＩＣ８４がリセットされていない場合とは、交流電圧ＶａｃまたはコンデンサＣ１による給電が継続され、監視ＩＣ８４によるフロントカバー２ａ及び給紙トレイ１１の監視が継続されていた場合であるためである。第２レジスタ８７及び第３レジスタ８８の値がどちらも０である場合（Ｎｏ２、７）には、フロントカバー２ａ及び給紙トレイはオープンされていないため、ガラ回しを省略する。一方、第２レジスタ８７及び第３レジスタ８８の少なくとも一方の値が１である場合（Ｎｏ３〜５、８〜１０）には、フロントカバー２ａ及び給紙トレイの少なくとも一方はオープンされたため、ガラ回しを実行する。
【０１０１】
ここで、カバースイッチＳＷ４及びトレイスイッチＳＷ５は検知スイッチの一例である。また、カバースイッチＳＷ４、抵抗Ｒ４で構成される回路、トレイスイッチＳＷ５、抵抗Ｒ５で構成される回路は検知回路の一例である。テーブル２のＮｏ１、６の条件に従って実行されるガラ回し（Ｓ２７）は第４起動処理の一例である。
【０１０２】
以上、上記した第３実施形態によれば、以下の効果を奏する。
【０１０３】
高圧電源部９１の動作状態において、フロントカバー２ａ及び給紙トレイ１１がオープンされている場合には、カバースイッチＳＷ２及びトレイスイッチＳＷ３はクローズし、トランジスタＱ１及びＱ２のゲート端子には接地電圧が印加されるため、トランジスタＱ１及びＱ２は夫々カバー開閉信号Ｓｉｇ１及びトレイ開閉信号Ｓｉｇ２を出力する。これにより、フロントカバー２ａ及び給紙トレイ１１がオープンされたことがＣＰＵ８１へ報知される。交流電圧Ｖａｃの給電が停止された場合にも、コンデンサＣ１から電力が供給される限り、監視ＩＣ８４、ポートＰ４及びＰ５にコンデンサＣ１により電力が給電されるため、監視ＩＣ８４は動作を継続し、フロントカバー２ａ及び給紙トレイ１１を監視することができる。
【０１０４】
ガラ回し処理のステップＳ２５において、ＣＰＵ８１はテーブル２（図９）に従って判断する。監視ＩＣ８４がリセットされた場合（Ｎｏ１、６）にはガラ回しを実行する。監視ＩＣ８４がリセットされた場合とは、交流電圧Ｖａｃの給電あるいはコンデンサＣ１による給電が停止され、監視ＩＣ８４が第２レジスタ８７及び第３レジスタ８８に記憶していた情報が失われてしまった場合である。この場合、フロントカバー２ａ及び給紙トレイ１１がオープンされたか否かが不明であるため、ガラ回しを行う。これにより、フロントカバー２ａ及び給紙トレイ１１がオープンされた場合に必要なガラ回しを実行することができる。
【０１０５】
尚、本発明は前記実施形態に限定されるものではなく、本発明の趣旨を逸脱しない範囲内での種々の改良、変更が可能であることは言うまでもない。
例えば、実施形態では、レーザプリンタ１を例に説明したが、これに限定されるものではない。スキャナ機能、コピー機能、ファクシミリ機能等を備える所謂複合機であってもよい。
【０１０６】
また、実施形態では、制御部８０がＣＰＵ８１を備える場合を例に説明したが、これに限定されるものではない。複数のＣＰＵを備えてもよいし、ＡＳＩＣによって構成されてもよい。さらに、ＣＰＵ８１とＡＳＩＣとの組み合わせによって構成されてもよい。
【０１０７】
また、高圧電源部９１が電源電圧Ｖ１の生成を停止した状態から開始状態になる場合には、ＯＦＦモードにおいて、ユーザによりプリンタ電源スイッチ７１をオンされた場合、交流電圧Ｖａｃの給電が再開された場合があると説明した。この他に、例えば、ＯＦＦモードに移行した後、所定時間経過することに応じて通常モードに復帰するタイマ復帰がある。タイマ復帰の場合には、例えば、復帰することに応じて第１レジスタ８６の値を１に更新する処理を実行すれば良い。これにより、第１レジスタ８６の値に応じて交流電圧Ｖａｃの給電が停止されたか否かを特定することができる。
【０１０８】
また、抵抗Ｒ１の端子のうち、ポートＰ４に接続されない方の端子は平滑電圧Ｖ３に接続され、カバースイッチＳＷ２の端子のうち、ポートＰ４に接続されない方の端子は接地電圧に接続されると説明したが、これに限定されるものではない。抵抗Ｒ１の端子のうち、ポートＰ４へ接続されない方の端子は接地電圧に接続され、カバースイッチＳＷ２の端子のうち、ポートＰ４へ接続されない方の端子は平滑電圧Ｖ３に接続される構成としても良い。この構成においても、フロントカバー２ａのオープンを検知することができる。即ち、フロントカバー２ａがクローズされている期間、トランジスタＱ１のゲート端子には平滑電圧Ｖ３が印加されるため、トランジスタＱ１はオフし、ドレイン端子からカバー開閉信号Ｓｉｇ１が出力されない。一方、フロントカバー２ａがオープンされている期間、トランジスタＱ１のゲート端子には抵抗Ｒ１を介して接地電圧が印加されるため、トランジスタＱ１はオンし、ドレイン端子からカバー開閉信号Ｓｉｇ１が出力される。抵抗Ｒ２、抵抗Ｒ４、抵抗Ｒ５、カバースイッチＳＷ４、及びトレイスイッチＳＷ３及びＳＷ５についても同様の構成としても良い。
【符号の説明】
【０１０９】
１    レーザプリンタ
２ａ    フロントカバー
１１    給紙トレイ
７１    プリンタ電源スイッチ
８１    ＣＰＵ
８４    監視ＩＣ
９１    高圧電源部
９３    小容量電源部
９４    電圧制限回路
Ｖ１、Ｖ２    電源電圧
Ｖ３、Ｖ４    平滑電圧
Ｖａｃ    交流電圧
ＳＷ１    電源スイッチ
ＳＷ２、ＳＷ４    カバースイッチ
ＳＷ３、ＳＷ５    トレイスイッチ
Ｒ１、Ｒ２、Ｒ３、Ｒ４、Ｒ５    抵抗
Ｑ１、Ｑ２    トランジスタ
Ｄ１    ダイオード
Ｐ１、Ｐ２、Ｐ３、Ｐ４、Ｐ５    ポート
Ｓｉｇ１    カバー開閉信号
Ｓｉｇ２    トレイ開閉信号
【図１】
0006428399.tif 000002
【図２】
0006428399.tif 000003
【図３】
0006428399.tif 000004
【図４】
0006428399.tif 000005
【図５】
0006428399.tif 000006
【図６】
0006428399.tif 000007
【図７】
0006428399.tif 000008
【図８】
0006428399.tif 000009
【図９】
0006428399.tif 000010